(57)【要約】　　　（修正有）【課題】ドライブ領域に塵埃等が侵入することを防止できる記録及び／又は再生装置を提供する。【解決手段】一端にリーダブロックが設けられた磁気テープが巻装されたテープカートリッジが装着されるカートリッジ装着部材５０と、磁気テープを巻き取る巻取機構７と、リーダブロックと係合し、磁気テープをテープカートリッジより引き出すテープ引出部材をテープカートリッジと巻取機構７とに亘って搬送する搬送機構と、情報信号の記録又は再生を行う磁気ヘッド機構６とを有し、カートリッジ装着部材５０が形成された領域４１と巻取機構７、搬送機構及び磁気ヘッド機構６が形成された領域４２とは仕切壁４０により仕切られ、仕切壁４０は、磁気テープが引き出される開口部７４と、開口部７４の開閉を行うシャッタ機構７２が形成されている。【選択図】図９
2004055072.tif 000002
【特許請求の範囲】
【請求項１】
装置本体の一端側に設けられ、一端にリーダブロックが設けられた磁気テープが巻装されたテープカートリッジが装着されるカートリッジ装着部材と、
上記装置本体の他端側に設けられ、上記テープカートリッジより引き出された磁気テープを巻き取る巻取機構と、
上記磁気テープの一端に設けられたリーダブロックの係合部に係合される係合軸を有し、上記磁気テープを上記テープカートリッジより引き出すテープ引出部材を有し、該テープ引出部材をカートリッジ装着部材に装着されたテープカートリッジと上記巻取機構とに亘って搬送する搬送機構と、
上記カートリッジ装着部材と上記巻取機構との間に配置され、上記磁気テープに対して情報信号の記録又は再生を行う磁気ヘッド機構とを有し、
上記カートリッジ装着部材が形成された領域と上記巻取機構、搬送機構及び磁気ヘッド機構が形成された領域とは仕切壁により仕切られ、上記仕切壁は、上記磁気テープが引き出される開口部と、該開口部の開閉を行うシャッタ機構が形成されている記録及び／又は再生装置。
【請求項２】
上記カートリッジ装着部材の上方に設けられ、該カートリッジ装着部材の上面部と上記装置本体とのクリアランスを覆うシートを有する請求項１記載の記録及び／又は再生装置。
【請求項３】
上記テープ引出部材は、上記カートリッジ装着部材に上記テープカートリッジが装着されていない状態では上記開口部が閉塞されている上記仕切壁より上記巻取機構、搬送機構及び磁気ヘッド機構とが形成された領域で待機し、
上記テープカートリッジの装着に応じて上記開口部が開口されると該開口部より上記カートリッジ装着部材に進入し、上記磁気テープを引き出すことを特徴とする請求項１記載の記録及び／又は再生装置。
【発明の詳細な説明】
【０００１】
【発明の属する技術分野】
本発明は、磁気テープが取り付けられたリーダブロックを有するテープカートリッジの記録及び／又は再生装置に関する。
【０００２】
【従来の技術】
従来より、シングルリールタイプのテープカートリッジを用いたテープ記録及び／又は再生装置がある。この記録及び／又は再生装置２００は、図２０に示すように、略直方体状の装置本体２０１内に、テープカートリッジ２０２が装着されるカートリッジ装着機構２０３と、テープカートリッジ２０２に巻回されている磁気テープ２０４に対して情報信号の記録又は再生を行う回転磁気ヘッド機構２０５と、装置本体２０１内に搬送された磁気テープ２０４を巻き取る巻取り機構を構成する巻取リール２０６と、磁気テープ２０４をテープカートリッジ２０２と巻取リール２０６との間に亘って搬送する搬送機構２０７とを有する。
【０００３】
この記録及び／又は再生装置２００は、装置本体２０１の長手方向の一端側にカートリッジ装着機構２０３が配設され、装置本体２０１の略中央部に回転磁気ヘッド機構２０５が配設され、装置本体２０１の長手方向の他端側に巻取リール２０６が配設されている。そして、記録及び／又は再生装置２００は、回転磁気ヘッド機構２０５から巻取リール２０６に亘って上方に、搬送機構２０７が設けられたプレート２０９が配設されている。搬送機構２０７は、テープカートリッジ２０２の磁気テープ２０４の先端に取り付けられたリーダブロック２１０と係合し、このリーダブロック２１０をテープカートリッジ２０２と巻取リール２０６との間に亘って搬送するための搬送手段と、搬送手段の移動に連動してリーダブロック２１０と搬送手段とを係合させ、或いはこの係合を解除させるためのチャッキング手段とを備えている。
【０００４】
そして記録及び／又は再生装置２００は、磁気テープ２０４がクランプされたリーダブロック２１０が搬送機構２０７のチャッキング手段によりチャッキングされ、搬送手段により引き出されるとともに巻取リール２０６まで案内され、回転磁気ヘッド機構２０５にローディングされた後、巻取リール２０６に巻回されることで、磁気テープ２０４を走行させる。
【０００５】
以上のような記録及び／又は再生装置２００は、各種情報信号が記録されたシングルリールタイプのテープカートリッジ２０２を複数取り揃え、ロボットアームによるチェンジャー機能を備えたライブラリ等に用いられている。ライブラリにおいて、記録及び／又は再生装置２００は、ロボットアームによるテープカートリッジ２０２の挿脱の障害となるため、装置本体２０１の前面側に設けられたテープカートリッジ２０２の挿脱用開口部２１３には何等蓋体が設けられていない。
【０００６】
【発明が解決しようとする課題】
しかし、この種のライブラリに用いられる記録及び／又は再生装置２００は、上述したように装置本体２０１の挿脱用開口部２１３に蓋体が設けられず、常時開放されている。また、テープカートリッジ２０２に収容された磁気テープ２０４をカートリッジ本体から巻取リール２０６側に引き出すため、カートリッジ装着機構２０３と巻取リール２０６側との間は常時連続され、搬送機構２０７のチャッキング手段２１２及びこのチャッキング手段２１２にチャッキングされた磁気テープ２０４のリーダブロック２１０が移動可能と成されている。
【０００７】
即ち、記録及び／又は再生装置２００は、テープカートリッジ２０２が装着されていない場合には、装置本体２０１の内部が外部に臨まされている。従って、記録及び／又は再生装置２００は、挿脱用開口部２１３より塵埃等が侵入し、回転磁気ヘッド機構２０５や巻取リール２０６、搬送機構２０７等に付着してドライブ機能を低下させ、また情報信号の記録再生機能を損なうおそれがあった。
【０００８】
そこで、本発明は、ライブラリ等に用いられ、テープカートリッジの挿脱用開口部に蓋体が設けられていない記録及び／又は再生装置において、ドライブ領域に塵埃等が侵入することを防止できる記録及び／又は再生装置を提供することを目的とする。
【０００９】
【課題を解決するための手段】
上述した目的を達成するために、本発明に係る記録及び／又は再生装置は、装置本体の一端側に設けられ、一端にリーダブロックが設けられた磁気テープが巻装されたテープカートリッジが装着されるカートリッジ装着部材と、上記装置本体の他端側に設けられ、上記テープカートリッジより引き出された磁気テープを巻き取る巻取機構と、上記磁気テープの一端に設けられたリーダブロックの係合部に係合される係合軸を有し、上記磁気テープを上記テープカートリッジより引き出すテープ引出部材を有し、該テープ引出部材をカートリッジ装着部材に装着されたテープカートリッジと上記巻取機構とに亘って搬送する搬送機構と、上記カートリッジ装着部材と上記巻取機構との間に配置され、上記磁気テープに対して情報信号の記録又は再生を行う磁気ヘッド機構とを有し、上記カートリッジ装着部材が形成された領域と上記巻取機構、搬送機構及び磁気ヘッド機構が形成された領域とは仕切壁により仕切られ、上記仕切壁は、上記磁気テープが引き出される開口部と、該開口部の開閉を行うシャッタ機構が形成されている。
【００１０】
【発明の実施の形態】
以下、本発明が適用された記録及び／又は再生装置について図面を参照しながら詳細に説明する。この記録及び／又は再生装置１は、シングルリールタイプのテープカートリッジが用いられるものであり、図１及び図２に示すように、略直方体状の装置本体２内に、テープカートリッジ３が装着されるカートリッジ装着機構４と、テープカートリッジ３に巻回されている磁気テープ５に対して情報信号の記録又は再生を行う回転磁気ヘッド機構６と、装置本体２内に搬送された磁気テープ５を巻き取る巻取り機構を構成する巻取リール７と、磁気テープ５をテープカートリッジ３と巻取リール７との間に亘って搬送する搬送機構８とを有する。
【００１１】
そして、記録及び／又は再生装置１は、カートリッジ装着機構４にテープカートリッジ３が装着されると、搬送機構８によりカートリッジ本体１１内より磁気テープ５を引き出すとともに巻取リール７に搬送し、巻取リール７によって磁気テープを巻取ることにより装置本体２内に磁気テープ５を走行させる。また、記録及び／又は再生装置１は、テープカートリッジ３から巻取リール７に搬送された磁気テープ５を回転磁気ヘッド機構６に略Ｍ字状に摺接させることにより、情報信号の記録又は再生を行う。
【００１２】
ここで、先ずこの記録及び／又は再生装置１に装着されるテープカートリッジ３について説明する。テープカートリッジ３は、図３に示すように、上下一対のハーフ３ａ，３ｂを突き合わせ結合したカートリッジ本体１１内に、磁気テープ５が巻回されたテープリール１２を収納している。このテープカートリッジ３は、記録及び／又は再生装置１に挿入されると、磁気テープ５がクランプされたリーダブロック１３が記録及び／又は再生装置１側のテープ引出部材により引き出されて、記録及び／又は再生装置１内の巻取リール７まで案内され、この巻取リール７に巻回されることで磁気テープ５が走行される。
【００１３】
テープカートリッジ３は、図４に示すように、カートリッジ本体１１の外周壁１４に、磁気テープ５が引き出されるテープ引出孔１５が形成されている。テープ引出孔１５は、上下ハーフ３ａ，３ｂの一側面を切り欠き、この切欠部を突き合わせることにより形成されている。このテープ引出孔１５は、内部に磁気テープ５の他端がクランプされているリーダブロック１３が係止され、リーダブロック１３を外方に臨ませている。
【００１４】
また、下ハーフ３ｂの底板１８の略中央部には、図５に示すように、記録及び／又は再生装置側のテープリール１２を回転操作するリール駆動部が挿入されるリール駆動部挿入孔１９が形成されている。
【００１５】
磁気テープ５を巻回し、カートリッジ本体１１内に回転可能に収納されるテープリール１２は、図３に示すように、磁気テープ５が巻回されるリールハブ１７と、リールハブ１７両側に取り付けられる一対のリールフランジ２０，２１とからなる。
【００１６】
リールハブ１７は、磁気テープ５の一端が取り付けられている。また、リールハブ１７は、底面１７ａ側に、記録及び／又は再生装置１のリール駆動部に係合される係合部２２が形成されている。この係合部２２は、下ハーフ３ｂに形成されているリール駆動部挿入孔１９より外方に臨まされ、テープカートリッジ３が記録及び／又は再生装置１内に挿入されると、記録及び／又は再生装置１側に設けられているリール回転駆動機構のリール駆動部に係合されて回転駆動される。
【００１７】
このようなテープリール１２に巻回される磁気テープ５には、音声信号、映像信号、コンピュータで処理される処理データ等の情報信号が記録される。このテープリール１２に巻回される磁気テープ５の先端には、記録及び／又は再生装置１内のテープ引出部材に把持されて巻取リール７に案内されるリーダブロック１３が取り付けられている。
【００１８】
このリーダブロック１３は、図６乃至図８に示すように、装置本体に設けられたテープ引出部材のスリーブとスリーブから下方へ突出される係合軸が挿入される係合部３１と、係合部３１の上部側に形成され、スリーブの下面部が係合される上側係合段部３２と、係合部３１の下部側に形成され、係合軸のフランジが係合される下側係合段部３３とを有する。
【００１９】
これら係合部３１及び上下側係合段部３２，３３は、図６及び図７に示すように、テープ引出部材の係合軸及びスリーブの下面側が突き当てられるの突当て部が略Ｃ字状に形成されている。そして、リーダブロック１３は、係合部３１及び上下側係合段部３２，３３に係合軸が突き合わされることによりテープ引出部材に係合される。これにより、リーダブロック１３は、係合時における位置決めが図られ、リーダブロック１３の搬送中における回動やがたつきが防止される。
【００２０】
また、上側係合段部３２は、係合軸に形成されたフランジに対応した位置決め部３２ａが形成されている。この位置決め部３２ａは、上側係合段部３２から係合部３１にかけて傾斜面が形成されている。そして、位置決め部３２ａは、リーダブロック１３がテープ引出部材に係合されることにより、係合軸に形成されたフランジが当接される。したがって、リーダブロック１３は、係合軸に確実に係合される。
【００２１】
また、リーダブロック１３は、係合部３１と下側係合段部３３との間に、係合軸に形成されているフランジが当接される位置決め段部３５が形成されている。この位置決め段部３５は、突当て部を略Ｃ字状に形成されるとともに、内周側の一部には突当て部の一部に係合軸のフランジに形成された面取部に対応して設けられリーダブロック１３の回転を規制する回転規制部３６が形成されている。回転規制部３６は、図７に示すように、弓形に形成された突き当て部の一部に、全体を略弦状に形成されてなる。この回転規制部３６は、同様に略弦状に形成されている係合軸のフランジに形成されている面取部が突き当てられる。また、位置決め段部３５は、係合軸のフランジに対応して設けられた傾斜面からなる位置決め部３７が形成されている。位置決め部３７は、リーダブロック１３がテープ引出部材に係合されると、係合軸のフランジが突き当てられる。これにより、リーダブロック１３は、テープ引出部材の係合時における位置決めが図られ、搬送中における回動やがたつきが防止される。
【００２２】
このようなテープカートリッジ３は、記録及び／又は再生装置１のカートリッジ装着機構４に装着されると、搬送機構８のテープ引出部材にテープ引出孔１５内に進入されるとともに、リーダブロック１３に係合し、リーダブロック１３が巻取リール７側に搬送される。また、磁気テープ５に対する情報信号の記録又は再生が終了した後は、テープカートリッジ３は、磁気テープ５が巻き戻され、装置本体２から排出される。
【００２３】
次いで、このテープカートリッジ３の記録及び／又は再生装置１について説明する。
【００２４】
この記録及び／又は再生装置１は、各種情報信号が記録されたシングルリールタイプのテープカートリッジ３を複数取り揃え、ロボットアームによるチェンジャー機能を備えたライブラリ等に用いられている。ライブラリにおいて、記録及び／又は再生装置１は、ロボットアームによるテープカートリッジ３の挿脱の障害となるため、図１に示す装置本体２の前面２ａ側に設けられたテープカートリッジ３の挿脱用開口部１０には何等蓋体が設けられていない。
【００２５】
この記録及び／又は再生装置１は、図２に示すように、装置本体２の挿脱用開口部１０が設けられた前面２ａ側にカートリッジ装着機構４が配設され、装置本体２の略中央部に回転磁気ヘッド機構６が配設され、装置本体２の背面２ｂ側に巻取リール７が配設されている。そして、装置本体２は、カートリッジ装着機構４と回転磁気ヘッド機構６との間に仕切壁４０が形成され、テープカートリッジ３に巻回された磁気テープ５が後述する搬送機構８のテープ引出部材に装着されるテープ装着領域４１と、搬送機構８により磁気テープ５が搬送されるテープ搬送領域４２とに仕切られている。
【００２６】
テープカートリッジ３が装着され、テープカートリッジ３のローディング又はアンローディングを行うカートリッジ装着機構４は、図９に搬送機構８を省略して示すように、テープカートリッジ３と略同一の大きさに形成されたカートリッジ保持部材５０と、このカートリッジ保持部材５０の移動をガイドするカム板６０と、カム板６０を介してカートリッジ保持部材５０をアンローディングポジションからローディングポジションに亘って搬送するローディング部６５とを有する。そしてカートリッジ保持部材５０は、ローディング部６５によって駆動されることにより、カム板６０にガイドされ、テープカートリッジ３の挿脱を行うアンローディングポジションから、磁気テープ５をテープ搬送領域４２に引き出すローディングポジションに亘って上下動される。
【００２７】
カートリッジ保持部材５０は、テープカートリッジ３と略同一の大きさに形成されたカートリッジ装着部５１と、カートリッジ装着部５１の両側縁部より立ち上がり形成された立ち上がり壁５２，５２と、上面部５３を有し、前後面が開放された略箱状に形成されている。また、カートリッジ保持部材５０は、テープカートリッジ３の挿入方向の一方にテープカートリッジ３の挿入端５０ａが形成されている。挿入端５０ａは、カートリッジ保持部材５０がアンローディングポジションに位置されているとき、装置本体２の挿脱用開口部１０より外方に臨まされている。
【００２８】
カートリッジ保持部材５０は、テープカートリッジ３が載置されるカートリッジ装着部５１の略中央に、図示しないテープカートリッジ３を回転駆動するリール駆動部が進入するリール駆動部進入孔５４が形成されている。また、カートリッジ保持部材５０は、立ち上がり壁５２，５２にガイドピン５５が外方に向かって突設されている。ガイドピン５５は、後述するローディング部６５の一対のカム板６０に形成されたガイド溝６１に摺動可能に係合されている。
【００２９】
カム板６０は、装置本体２の側面に沿って配設されている。また、カム板６０は、装置本体２の前面２ａ側から背面２ｂ側に亘って、カートリッジ保持部材５０の一対の立ち上がり壁５２，５２より突設されたガイドピン５５が摺動可能に係合されるガイド溝６１が形成されている。
【００３０】
ガイド溝６１は、カートリッジ保持部材５０を水平方向にガイドする水平ガイド部６２と、水平ガイド部６２の一端から下方向へ形成されカートリッジ保持部材５０をローディングポジションへ下降させる垂直ガイド部６３とを有する。
【００３１】
水平ガイド部６２は、装置本体２の前面２ａ側から背面２ｂ側にかけて形成されている。また、垂直ガイド部６３は、水平ガイド部６２の背面２ｂ側端部から下方に降下するように形成されている。
【００３２】
このガイド溝６１は、カートリッジ保持部材５０のガイドピン５５が摺動可能に係合されることにより、カートリッジ保持部材５０が装置本体２の側面に沿って移動されると、ガイドピン５５を介してカートリッジ保持部材５０を水平方向又は下降方向にガイドする。
【００３３】
カートリッジ保持部材５０を搬送するローディング部６５は、カム板６０の外面側に設けられ、カム板６０のガイド溝６１より突出しているガイドピン５５と係合し、ガイドピン５５を移動させることにより、カートリッジ保持部材５０を搬送する。カートリッジ保持部材５０は、ガイドピン５５がカム板６０のガイド溝６１にガイドされながらローディング部６５に移動されることにより、アンローディングポジションとローディングポジションに亘って搬送される。
【００３４】
カートリッジ保持部材５０は、アンローディングポジションに搬送されると、挿入端５０ａを装置本体２の前面２ａ側に形成された挿脱用開口部１０に連続され、詳細を省略するカートリッジ排出機構により装置本体２外へテープカートリッジ３を排出してユーザにより取り出し可能とされ、また、挿脱用開口部１０よりテープカートリッジ３を引き込み可能とされる。また、カートリッジ保持部材５０は、ローディングポジションに搬送されると、装着されているテープカートリッジ３のリーダブロック１３を外方に臨ませるテープ引出孔１５を、後述する仕切壁４０に形成された開口部と対向させる。その後、テープカートリッジ３に収納されている磁気テープ５は、後述するテープ引出部材と磁気テープ５の先端に取り付けられたリーダブロック１３と係合され、搬送機構８によりテープ搬送領域４２に引き出される。
【００３５】
このようなカートリッジ装着機構４が設けられるテープ装着領域４１は、カートリッジ保持部材５０の上面部５３上に天板６８が配設されている。天板６８は、装置本体２の前面２ａに形成された挿脱用開口部１０よりも上方に位置され、カム板６０とによりテープ装着領域４１を密閉するように形成されている。また、天板６８は、内側にテープ搬送領域４２内に塵埃等が侵入することを防止する可撓性を有する防塵シート６９が取り付けられている。防塵シート６９は、略矩形状のシートであり、天板６８とカートリッジ保持部材５０との間に、一側面を天板６８に取り付けられることにより配設されている。防塵シート６９は、図１０に示すように、カートリッジ保持部材５０の上面部５３上に垂れ下がり、天板６８とカートリッジ保持部材５０の上面部５３との間にできるクリアランスを覆っている。
【００３６】
防塵シート６９は、カートリッジ保持部材５０がアンローディングポジションに位置されている場合は、カートリッジ保持部材５０の上面部５３に持ち上げられ、テープカートリッジ３の挿入時にカートリッジ保持部材５０の背面２ｂ側端部を閉塞することが防止されている。また、防塵シート６９は、カートリッジ保持部材５０がローディングポジションに降下されている場合は、カートリッジ保持部材５０の上面部５３上に垂下して天板６８とカートリッジ保持部材５０との間にできるクリアランスを覆う。従って、防塵シート６９は、磁気テープ５がテープ搬送領域４２内に搬送されているときにも、挿脱用開口部１０より侵入した塵埃等が仕切壁４０の開口部を介してテープ搬送領域に侵入することを防止できる。
【００３７】
このカートリッジ装着機構４が設けられたテープ装着領域４１と後述する回転磁気ヘッド機構６、巻取リール７及び搬送機構８が設けられたテープ搬送領域４２との間に形成された仕切壁４０は、図１１に示すように、テープ装着領域４１とテープ搬送領域４２とを遮断する隔壁７１と、隔壁７１に形成され磁気テープ５を引き出す開口部の開閉を行うシャッタ部材７２と、シャッタ部材７２を操作するシャッタ開閉アーム７３とを有する。
【００３８】
隔壁７１は、図１１に示すように、開口部７４が形成された略矩形板状の壁面７５と、シャッタ部材７２の移動をガイドするガイドレール７６とを有する。この隔壁７１は、壁面７５が装置本体の短手方向の長さと略同一の長さを有し、装置本体２の短手方向の幅一杯に亘って設けられている。また、隔壁７１は、図２に示すように、全体をフード部材７７に覆われている。フード部材７７は、装置本体２の外筐体と当接する上面部及び側面部にパッキンが形成されている。従って、隔壁７１は、テープ装着領域４１からテープ搬送領域４２へ気体が流入することを確実に防止することができる。
【００３９】
また、隔壁７１は、ローディングポジションに搬送されたカートリッジ保持部材５０に装着されているテープカートリッジ３のテープ引出孔１５に対応して、開口部７４が形成されている。開口部７４は、搬送機構８のテープ引出部材が進入しリーダブロック１３の搬送を行うに十分な大きさに形成されている。この開口部７４は、テープカートリッジ３の挿脱に応じてシャッタ部材７２により開閉される。
【００４０】
隔壁７１は、シャッタ部材７２の移動をガイドするガイドレール７６が形成されている。ガイドレール７６は、略矩形板状に形成され、隔壁７１の上縁部よりテープ搬送領域４２側に張り出し形成されている。ガイドレール７６は、シャッタ部材７２の開閉方向に沿って、長手方向の両側縁部にガイド部８１が形成されている。ガイド部８１は、断面略コ字状に形成され、板状に形成されたシャッタ部材７２が移動可能に挿通されている。
【００４１】
また、隔壁７１は、シャッタ部材７２の移動をガイドするガイド溝８２が形成されている。ガイド溝８２は、隔壁７１のテープ装着領域４１側の下縁部にシャッタ部材７２の開閉方向に亘って形成されている。ガイド溝８２は、略Ｌ字状に形成され、シャッタ部材７２の下縁部が移動可能に配設されている。
【００４２】
隔壁７１に形成された開口部７４の開閉を行うシャッタ部材７２は、図１１に示すように、略矩形状のシャッタ部８５と、ガイドレール７６に挿通され、後述するシャッタ開閉アーム７３にシャッタ部８５の開閉を操作される操作板部８６とを有する。シャッタ部材７２は、シャッタ部８５の上縁部より直角方向に操作板部８６が形成されている。そして、シャッタ部材７２は、シャッタ部８５が隔壁７１に形成されたガイド溝８２に配設されるとともに、テープ搬送領域４２側に形成された操作板部８６がガイドレール７６のガイド部８１に挿通されている。
【００４３】
シャッタ部８５は、ガイド溝８２に配設されたとき隔壁７１と上縁部を同一の高さとされている。そして、シャッタ部材７４は、シャッタ開閉アーム７３により閉方向に移動されることにより、開口部７４を確実に閉塞することができる。
【００４４】
シャッタ部８５の開閉を操作する操作板部８６は、ガイドレール７６の両側縁部に形成されたガイド部８１間より、シャッタ開閉アーム７３に係合されシャッタ部材７２の開閉操作がされる操作軸８７が突設されている。シャッタ部材７２は、この操作軸８７がシャッタ開閉アーム７３によりシャッタ部８５の開閉方向に移動されることにより、開口部７４の開閉を行う。
【００４５】
このシャッタ開閉アーム７３は、シャッタ部材７２の操作板部８６に突設された操作軸８７と係合し、シャッタ部材７２を操作する操作アーム９１と、テープカートリッジ３の挿脱に応じて操作アーム９１を回動させる回動軸９２と、回動軸９２と操作アーム９１との回動支点となる支軸９３とを有する。
【００４６】
操作アーム９１は、基端を支軸９３に回動可能に支持され、先端には操作板部８６に突設されている操作軸８７と係合する係合部９５が形成されている。回動軸９２は、基端を支軸９３に回動可能に支持され、先端をテープ装着領域４１側に延設されるとともに、端部には天板６８の開口６８ａよりカートリッジ保持部材５０内に延設され、テープカートリッジ３に押圧される押圧部９６が形成されている。支軸９３は、天板６８の開口６８ａに張り出し形成された取付板９７に取り付けられている。そして、支軸９３は、操作アーム９１及び回動軸９２の各基端部を回動可能に支持している。また、支軸９３は、図示しない付勢部材により、常時、操作アーム９１及び回動軸９２を図１１中矢印Ｄ方向に付勢している。従って、シャッタ開閉アーム７３は、常時、操作アーム９１によりシャッタ部材７２を、開口部７４を閉塞する図１１中矢印Ｃ方向に付勢されている。
【００４７】
このような仕切壁４０は、カートリッジ保持部材５０内にテープカートリッジ３が装着されると、カートリッジ装着部材５０内に延設されている回動軸９２の押圧部９６が、テープカートリッジ３の挿入端側側面１１ａにより隔壁７１側の図１１中反矢印Ｄ方向に押圧される。これにより、回動軸９２も同様に同図中反矢印Ｄ方向に回動するとともに、操作アーム９１が図１１中反矢印Ｃ方向に回動する。操作アーム９１の回動に伴い、操作アーム９１の係合部９５に係合されている操作軸８７が図１１中反矢印Ｃ方向に移動され、シャッタ部８５が開口部７４を開口する。その後、開口部７４は、後述するテープ引出部材が進入し、テープカートリッジ３より磁気テープ５を引き出す。
【００４８】
なお、このとき、記録及び／又は再生装置１は、カートリッジ保持部材５０と天板６８との間は上述した防塵シート６９により覆われているため、テープ搬送領域４２の気密性は高く保たれている。
【００４９】
また、仕切壁４０は、テープカートリッジ３がカートリッジ保持部材５０より排出されると、カートリッジ保持部材５０内に延設されている回動軸９２の押圧部９６への付勢が解かれ、回動軸９２が支軸９３の図示しない付勢部材により図１１中矢印Ｄ方向に付勢される。これにより、操作アーム９１も同様に図１１中矢印Ｃ方向に回動され、操作アーム９１の係合部９５に係合されている操作軸８７が図１１中矢印Ｃ方向に移動されてシャッタ部８５が開口部７４を閉塞する。従って、記録及び／又は再生装置１は、テープカートリッジ３が装着されていない状態において、テープ搬送領域４２の気密性を保つことができる。
【００５０】
磁気テープ５に摺接して情報の記録又は再生を行う回転磁気ヘッド機構６は、カートリッジ保持部材５０と巻取リール７との間に配設されている。この回転磁気ヘッド機構６は、図１２に示すように、少なくとも固定ドラム１０３ａと、固定ドラム１０３ａに対して回転する回転ドラム１０３ｂからなる回転磁気ヘッド装置１０３を備える。この回転ドラム１０３ｂには、磁気テープ５に対して情報信号を記録、再生する複数の磁気ヘッドが取り付けられている。
【００５１】
この回転磁気ヘッド機構６は、両側にテープローディング機構を構成するローディングピン１０６が配設され、このローディングピン１０６により、搬送機構８によってテープカートリッジ３より引き出され巻取リール７に搬送された磁気テープ５を略Ｍ字状にローディングする。ローディングピン１０６により略Ｍ字状にローディングされた磁気テープ５は、複数のガイドピン及びガイドローラにガイドされ、巻取リール７に巻取られる。
【００５２】
記録及び／又は再生装置１内に搬送された磁気テープ５を巻き取る巻取リール７は、図１６に示すように、リーダブロック１３が挿入、保持されるされるリーダブロック保持部１０７が形成されたリールハブ１０８と、このリールハブ１０８の両側に取り付けられる上下一対のリールフランジ１０９，１１０とを有する。
【００５３】
リーダブロック１３が挿入されるリーダブロック保持部１０７は、リールハブ１０８の一部を開放する開放端１０８ａが形成されるとともに、リールハブ１０８の内部に、この開放端１０８ａより連続するリーダブロック１３を収納保持可能なリーダブロック保持部１０７が設けられている。
【００５４】
上下一対のリールフランジ１０９，１１０は、リールハブ１０８の両側に取り付けられ、テープ引出部材により引き出された磁気テープ５の、リールハブ１０８への巻回を支持する。このリールフランジ１０９，１１０は、リールハブ１０８の開放端１０８ａと連続して形成され、リーダブロック１３をリーダブロック保持部１０７へガイドするガイド溝１０９ａ，１１０ａが形成されている。ガイド溝１０９ａ，１１０ａは、リールフランジ１０９，１１０の外周の一部を中心方向に亘って切り欠くことにより形成され、装置本体２の搬送機構８に搬送されてリーダブロック保持部１０７に案内されるリーダブロック１３が進入される。このガイド溝１０９ａ，１１０ａは、リールフランジ１０９，１１０の中心側から外周側にかけて幅広に形成されているため、リーダブロック１３が進入される巻取リール７が容易に位置決めされ、搬送されたリーダブロック１３が円滑に進入可能とされている。
【００５５】
また、下リールフランジ１１０は、中心部にリーダブロック１３の下面側が係止される凹状の係止部１１５が形成されている。この係止部１１５は、リーダブロック保持部１０７内に挿入されたリーダブロック１３が配設される。これにより、リーダブロック１３は、テープ引出部材の係合軸との係合が解除された場合でも、下面側が凹状の係止部１１５の係止段部１１５ａに係止され、磁気テープ５のバックテンションにより巻取リール７の排出方向に引っ張られた場合もリーダブロック保持部１０７内からの抜け止めが図られる。
【００５６】
また、凹状の係止部１１５の中心部には、リーダブロック１３と係合しカートリッジ本体１１内より引き出すテープ引出部材１５０の係合軸１５２が巻取リール７内において、リーダブロック１３との係合を解除する際の逃げ穴となる退避孔１１６が形成されている。
【００５７】
このような構成を有する巻取リール７は、テープ引出部材の係合軸に係合されたリーダブロック１３が搬送機構８により巻取リール７側に搬送されると、図１７に示すように、予めリーダブロック１３の搬送方向と対向するように回動されたガイド溝１０９ａ，１１０ａ内にリーダブロック１３が進入される。
【００５８】
次いで、ガイド溝１０９ａ，１１０ａにガイドされたリーダブロック１３がリーダブロック保持部１０７内に進入する。このとき、リーダブロック１３は、テープ引出部材の係合軸との係合が解除されているが、凹状の係止部１１５の係止段部１１５ａに係止されることにより、カートリッジ本体１１のテープリール１２に巻回された磁気テープ５のバックテンションによって巻取リール７から排出されることが防止される。その後、巻取リール７は、図示しない駆動機構により回転駆動され、磁気テープ５を巻き取る。
【００５９】
次に、上記カートリッジ装着部５１に装着されたテープカートリッジ３に巻装された磁気テープ５の搬送を行う搬送機構８について説明する。
【００６０】
磁気テープ５の先端に設けられたリーダブロック１３と係合し、このリーダブロック１３をテープカートリッジ３と巻取リール７との間に亘って搬送する搬送機構８は、図１２に示すように、プレート１３７に配設され、テープカートリッジ３に収容された磁気テープ５の先端に取付けられたリーダブロック１３と係合し、このリーダブロック１３をテープカートリッジ３と巻取リール７との間に搬送するための搬送部１３５と、この搬送部１３５の移動に連動してリーダブロック１３とテープ引出部材１５０とを係合させ、或いはこの係合を解除させるためのチャッキング機構１３６とを備えている。
【００６１】
搬送機構８が配設されるプレート１３７は、図１２乃至図１４に示すように、略矩形状の平板からなり、後述するリーダブロック１３を係合したテープ引出部材１５０が移動するカム溝１４３と、テープ引出部材１５０を搬送する搬送部１３５をガイドするガイド凹部１３９とを有する。
【００６２】
カム溝１４３は、図１２に示すように、カートリッジ装着部５１に装着されたテープカートリッジ３のテープ引出孔１５近傍から回転磁気ヘッド機構６近傍を通り、巻取リール７の中心部にかけて略への字状に形成されている。このカム溝１４３は、図１３に示すように、搬送部１３５の移動機構１４０及びプレート１４４がカム溝１４３を挟み込むように配設され、プレート１３７の裏面側にはプレート１４４を案内するガイドレール１４８が形成されている。このガイドレール１４８は、カム溝１４３の一端にプレート１４４のフランジ部１４９が当接されるストッパープレート１４８ａが設けられている。
【００６３】
また、プレート１３７は、図１２及び図１４に示すように、長手方向に亘ってカム溝１４３と反対側の側縁部に沿って、移動機構１４０の移動をガイドするガイド軸１３８が形成されている。ガイド軸１３８は、プレート１３７のカートリッジ装着部材５０上から巻取リール７上に亘って配設されている。このガイド軸１３８は、図１５に示すように、略丸棒状に形成され、移動機構１４０に立ち上がり形成されている立上げ部１４０ａ，１４０ｂ及び軸受１４５ａ，１４５ｂに移動可能に挿通されている。そして、ガイド軸１３８は、磁気テープ５を把持した移動機構１４０のカートリッジ本体１１から巻取リール７に亘っての移動をガイドする。
【００６４】
また、プレート１３７は、図１４に示すように、長手方向のカム溝１４３近傍の側縁部に移動機構１４０の移動をガイドするガイド凹部１３９が形成されている。ガイド凹部１３９は、プレート１３７の表面側に立ち上がり形成されるとともに略コ字状に折り曲げられて形成されているガイド板１３９ａと、プレート１３７とで構成されている。このガイド凹部１３９は、後述する移動機構１４０のガイド部材１４６が摺動自在に嵌挿される。また、ガイド凹部１３９を構成するガイド板１３９ａは、カム溝１４３に沿ってプレート１３７の内方に膨出して形成されている。このガイド板１３９ａ上には、カム溝１４３に沿って搬送されるテープ引出部材１５０の押圧部１５６に設けられたロック解除防止板１５７が張り出されることにより、押圧部１５６が押下され、リーダブロック１３の搬送中に係合軸１５２とリーダブロック１３との係合が外れることが防止される。
【００６５】
また、図１２及び図１５に示すように、プレート１３７上には、テープ引出部材１５０のリーダブロック１３の係合を解除する係合解除レバー１６２，１６３が設けられている。係合解除レバー１６２，１６３は、テープ引出部材１５０の押圧部１５６を押圧する押圧面部１６２ａ，１６３ａが設けられたレバーがシーソー状に軸支され、バネ部材等により、レバー先端に設けられた押圧面部１６２ａ，１６３ａが上向きに付勢されている。また、係合解除レバー１６２，１６３は、レバー他端側に後述する移動機構１４０に設けられたカム部材１６５，１６６上に乗り上げるローラ１６７，１６８が設けられている。係合解除レバー１６２，１６３は、ローラ１６７，１６８がカム部材１６５，１６６上に乗り上げることにより、レバー先端の押圧面部１６２ａ，１６３ａが図８及び図１５中矢印Ｇ方向に付勢され、テープ引出部材１５０の押圧部１５６を押し下げ、テープ引出部材１５０とリーダブロック１３との係合を解除させる。
【００６６】
このプレート１３７上に移動可能に配設され、リーダブロック１３を係合したテープ引出部材１５０をテープカートリッジ３と巻取リール７間に亘って搬送する搬送部１３５は、図１４及び図１５に示すように、プレート１３７上に配設されたガイド軸１３８にガイドされてプレート１３７上を移動する移動機構１４０と、後述するテープ引出部材１５０を挿通支持し、この移動機構１４０とプレート１３７を介して連動して摺動するプレート１４４とを有する。そして、搬送部１３５は、移動機構１４０に形成されたガイド溝１５８にプレート１４４に挿通保持されたテープ引出部材１５０の先端に設けられている押圧部１５６が移動可能に挿通されるとともに、プレート１３７のカム溝１４３を介して移動機構１４０及びプレート１４４が配設されている。
【００６７】
プレート１３７上をカートリッジ装着部材５０及び巻取リール７間に亘って移動する移動機構１４０は、テープ引出部材１５０が移動可能に挿通されるガイド溝１５８が形成されたベース板１４１と、ベース板１４１上に設けられ、テープ引出部材１５０をガイド溝１５８に沿ってガイドする一対の回転ガイド体１５９，１６０と、係合解除レバー１６２，１６３のローラ１６７，１６８を押し上げるカム部材１６５，１６６とを有する。
【００６８】
テープ引出部材１５０が挿通されるガイド溝１５８は、ベース板１４１にテープ引出部材１５０の移動をガイドするために形成され、ベース板１４１の移動方向と直角方向に亘って形成されるとともに、ベース板１４１の移動方向に向かう分岐溝部１５８ａ，１５８ｂが形成されている。ガイド溝１５８は、移動機構１４０がカートリッジ装着部材５０又は巻取リール７近傍に移動されたときにテープ引出部材１５０を分岐溝部１５８ａ又は１５８ｂにガイドし、テープ引出部材１５０の押圧部１５６を係合解除レバー１６２，１６３により押下可能とする。
【００６９】
テープ引出部材１５０をガイド溝１５８に沿ってガイドする回転ガイド体１５９，１６０は、テープ引出部材１５０の押圧部１５６が当接されるガイド面１５９ａ，１６０ａと、回転ガイド体１５９，１６０の回動を規制するストッパーアーム部１５９ｂ，１６０ｂとを有する。この回転ガイド体１５９，１６０は、コイルバネ等により、常時ガイド面１５９ａ，１６０ａがガイド溝１５８側に付勢され、ストッパーアーム部１５９ｂ，１６０ｂがベース板１４１に立ち上がり形成されているストッパー面１６１ａ，１６１ｂに突き当てられることにより分岐溝部１５８ａ，１５８ｂを閉塞している。そして、回転ガイド体１５９，１６０は、移動機構１４０がカートリッジ装着部材５０又は巻取リール７近傍に移動されることにより、ガイド溝１５８にガイドされたテープ引出部材１５０にガイド面１５９ａ，１６０ａが押圧、回動されて、分岐溝部１５８ａ，１５８ｂをテープ引出部材１５０に開放する。
【００７０】
係合解除レバー１６２，１６３の押圧面部１６２ａ，１６３ａを押下させるカム部材１６５，１６６は、係合解除レバー１６２，１６３のローラ１６７，１６８が乗り上げられる傾斜面が形成されている。このカム部材１６５，１６６は、移動機構１４０が係合解除レバー近傍に移動することにより、傾斜面よりローラ１６７，１６８に乗り上げられる。カム部材１６５，１６６に乗り上げたローラ１６７，１６８が押し上げられることにより、係合解除レバー１６２，１６３は、先端部に取り付けられた押圧面部１６２ａ，１６３ａが図１５中矢印Ｇ方向に付勢され、テープ引出部材１５０の押圧部１５６を押下する。
【００７１】
この移動機構１４０は、保持体１７０を介して駆動機構１７１のタイミングベルト１７２に連結されている。そして、移動機構１４０は、駆動機構１７１のタイミングベルト１７２が駆動されることによりカートリッジ装着部材５０側と巻取リール７の配置部側との間を移動される。
【００７２】
なお、この駆動機構１７１は、図１２に示すリーダブロック移動用のモータ１２５により歯車機構１７３が回転駆動されてタイミングベルト１７２を回転するように構成されている。また、この駆動機構１７１はプレート１３７のカートリッジ装着部材５０側と巻取リール７の配置部側に配置した位置センサ１７４，１７５に移動機構１４０の保持体１７０が対応することにより制御される。
【００７３】
また、移動機構１４０は、プレート１３７上に略コ字状に形成されているガイド凹部１３９に嵌挿されるガイド部材１４６が設けられている。ガイド部材１４６は、ガイド凹部１３９と摺接される側面が滑性樹脂材等で形成され、移動機構１４０の移動をガイドしている。
【００７４】
この移動機構１４０と連動してリーダブロック１３を搬送するプレート１４４は、図１５に示すように、略矩形状の搬送板１４４ａと、搬送板１４４ａに挿通され、リーダブロック１３を係合するテープ引出部材１５０とを有する。搬送板１４４ａは、下面側にフランジ状に形成されたフランジ部１４９が設けられ、このフランジ部１４９がプレート１３７に形成されたカム溝１４３及びガイドレール１４８間に摺動自在に嵌挿されることによりプレート１３７に配設されている。
【００７５】
搬送板１４４ａに挿通され、リーダブロック１３を係合するテープ引出部材１５０は、図１８に示すように、スリーブ１５１と、スリーブ１５１内に挿通され、リーダブロック１３を係合する係合軸１５２と、係合軸１５２の先端部に形成され搬送中にリーダブロック１３の係合が解除されることを防止するロック解除防止板１５７とを有する。
【００７６】
スリーブ１５１は、搬送板１４４ａに挿通されるとともに、搬送板１４４ａの下面側には、プレート１３７に形成されたカム溝１４３及びガイドレール１４８に摺動自在に嵌挿されるフランジ部１５４が設けられている。
【００７７】
係合軸１５２は、スリーブ１５１に軸方向に摺動可能に挿通してスリーブ１５１内に内蔵した付勢部材、例えば圧縮コイルスプリングにより、常時図１８において上方へ摺動付勢させて構成されている。
【００７８】
この係合軸１５２下端には、リーダブロック１３の下側係合段部４９に係合するフランジ１５３が設けられている。このフランジ１５３は、図１８に示すように、面取部１５３ａが設けられている。
【００７９】
また、このテープ引出部材１５０のスリーブ１５１の上部には押圧部１５６が設けられている。この押圧部１５６は、テープ引出部材１５０の上方への付勢状態において、移動機構１４０のプレート１３７のカム溝１４３と交差方向に形成したガイド溝１５８に、カム溝１４３を介して挿通され、その上面側に突出されている。また、この押圧部１５６は、ロック解除防止板１５７が張り出し形成されている。ロック解除防止板１５７は、略板状の部材からなり、押圧部１５６が移動機構１４０の上面側に突出されたときに、プレート１３７に形成されたガイド凹部１３９の上方に張り出される。これにより、テープ引出部材１５０は、リーダブロック１３の搬送中に押圧部１５６に力が加わった場合にも、押圧部１５６が押下されることなく、リーダブロック１３の係合が解かれることを防止することができる。
【００８０】
このようなテープ引出部材１５０は、押圧部１５６が押下されることにより、図１９に示すように、下方に伸長してリーダブロック１３の係合部３１内に挿入可能とされる。係合部３１に挿入されると、係合軸１５２は、押圧部１５６が弾性復帰されることにより上方に収縮し、フランジ１５３がリーダブロック１３の位置決め段部３５に係合することによりリーダブロック１３と係合される。このとき、係合軸１５２は、フランジ１５３に形成されている面取部１５３ａと位置決め段部３５に形成されている回転規制部３６とが当接される。これにより、テープ引出部材１５０に係合されたリーダブロック１３の位置決めが図られ、テープ引出部材１５０は、リーダブロック１３が搬送中に遊動し、また、係合が外れることを防止することができる。
【００８１】
このテープ引出部材１５０は、移動機構１４０のガイド溝１５８に挿通されることにより、移動機構１４０の移動と連動してカートリッジ本体１１及び巻取リール７との間を、カム溝１４３に沿って移動される。すなわち、テープ引出部材１５０は、テープカートリッジ３がカートリッジ保持部材５０に装着され、仕切壁４０の開口部７４が開放されるまでこの開口部７４の直前で待機している。そして、テープ引出部材１５０は、テープカートリッジ３がカートリッジ保持部材５０内に装着され、シャッタ部材７２が移動されて仕切壁４０の開口部７４が開口されると、開口部７４よりテープ装着領域４１内に進み、テープカートリッジ３のテープ引出孔１５内に進入する。
【００８２】
そして、テープ引出部材１５０は、押圧部１５６が係合解除レバー１６２，１６３の押圧面部１６２ａ，１６３ａに押圧されることにより、下方に付勢されて、リーダブロック１３の係合部３１内に挿入されると、スリーブ１５１の下面側がリーダブロック１３の上側係合段部３２に支持されるとともに、フランジ１５３がリーダブロック１３の下側係合段部３３に支持される。そして、テープ引出部材１５０は、係合解除レバー１６２，１６３の付勢力が解かれることにより、スリーブ１５１内に内蔵した付勢部材の付勢力により上方へ付勢され、リーダブロック１３と係合する。このとき、係合軸１５２は、フランジ１５３に形成された面取部１５３ａがリーダブロック１３の回転規制部３６に突き当てられることにより、搬送中におけるリーダブロック１３の遊動を防止する。
【００８３】
また、リーダブロック１３と係合したテープ引出部材１５０は、押圧部１５６が係合解除レバー１６２，１６３の押圧面部１６２ａ，１６３ａに押圧されることにより、下方に付勢されて位置決め段部３５からフランジ１５３が排出されることにより、リーダブロック１３との係合を解除する。
【００８４】
このような構成を有する搬送機構８は、テープカートリッジ３が挿入される際には、以下の状態で待ち受けている。
【００８５】
テープ引出部材１５０は、テープカートリッジ３がカートリッジ保持部材５０に装着され、仕切壁４０の開口部７４が開放されるまでこの開口部７４の直前で待機している。このとき、移動機構１４０のカム部材１６５は、プレート１３７上に設けられた一方の係合解除レバー１６２のローラ１６７が乗り上げることにより、レバー先端に設けられた押圧面部１６２ａを下方に付勢させる。押圧面部１６２ａが下方に付勢されることにより、テープ引出部材１５０の先端に設けられた押圧部１５６は、下方に押圧され、係合軸１５２のフランジ１５３も下方に付勢される。
【００８６】
次いで、テープ引出部材１５０は、テープカートリッジ３がカートリッジ保持部材５０内に装着され、シャッタ部材７２が移動されて仕切壁４０の開口部７４が開口されると、開口部７４よりテープ装着領域４１内に進み、テープカートリッジ３のテープ引出孔１５内に進入する。そして、係合軸１５２は、リーダブロック１３の係合部３１内に挿入され、移動機構１４０が巻取リール７側に移動開始されることにより係合解除レバー１６２の付勢力が解かれ、リーダブロック１３と係合する。このとき、係合軸１５２は、フランジ１５３に形成された面取部１５３ａとリーダブロック１３の位置決め段部３５に形成された回転規制部３６とが当接されて、リーダブロック１３の遊動を防止する。
【００８７】
次いで、係合軸１５２に係合されたリーダブロック１３は、移動機構１４０が巻取リール７側に移動されることにより、プレート１４４とともに巻取リール７側に移動される。
【００８８】
移動機構１４０が巻取リール７のリーダブロック保持部１０７に搬送すると、カム部材１６６は、プレート１３７上に設けられた係合解除レバー１６３のローラ１６８に乗り上げられることにより、レバー先端の押圧面部１６３ａを下方に付勢させる。これにより、係合軸１５２は、フランジ１５３がリーダブロック１３の位置決め段部３５から排出され、リーダブロック１３との係合が解除される。
【００８９】
次いで、記録及び／又は再生装置１の動作方法について説明する。
【００９０】
カートリッジ保持部材５０は、装置本体２にテープカートリッジ３が挿入される前は、ローディング部６５により装置本体２のアンローディングポジションに移動されている。このとき、記録及び／又は再生装置１は、仕切壁４０の回動軸９２が支軸９３の付勢部材により図１１中矢印Ｄ方向に付勢される。これにより、操作アーム９１も同様に図１１中矢印Ｃ方向に回動され、操作アーム９１の係合部９５に係合されている操作軸８７が図１１中矢印Ｃ方向に移動されてシャッタ部８５が開口部７４を閉塞している。従って、記録及び／又は再生装置１は、テープカートリッジ３が装着されていない状態において、テープ搬送領域４２の気密性を保つことができる。
【００９１】
次いで、記録及び／又は再生装置１は、カートリッジ保持部材５０内にテープカートリッジ３が装着されると、カートリッジ装着部材５０内に延設されている回動軸９２の押圧部９６が、テープカートリッジ３の挿入端側側面１１ａにより隔壁７１側の図１１中反矢印Ｄ方向に押圧される。これにより、回動軸９２も同様に同図中反矢印Ｄ方向に回動するとともに、操作アーム９１が図１１中反矢印Ｃ方向に回動する。操作アーム９１の回動に伴い、操作アーム９１の係合部９５に係合されている操作軸８７が図１１中反矢印Ｃ方向に移動され、シャッタ部８５が開口部７４を開口する。
【００９２】
そして、カートリッジ保持部材５０は、装置本体２内にテープカートリッジ３が挿入されたことが検出されると、ローディング部６５の送り機構によりガイドピン５５がスライドカムのガイド溝６１を摺動され、装置本体２の背面２ｂ側に移動される。
【００９３】
このとき、ガイド溝６１は、カートリッジ保持部材５０のガイドピン５５が背面２ｂ側の端部から水平ガイド部６２をスライドして、垂直ガイド部６３を下降する。これにより、テープカートリッジ３を保持したカートリッジ保持部材５０は、アンローディングポジションから、磁気テープ５がテープ引出部材により引き出されるローディングポジションへ搬送される。カートリッジ保持部材５０がローディングポジションに搬送されることにより、テープカートリッジ３は、テープ引出孔１５が仕切壁４０の開口部と対向される。
【００９４】
また、天板６８に設けられている防塵シート６９は、カートリッジ保持部材５０がローディングポジションに降下されることにより、天板６８とカートリッジ保持部材５０の上面部５３との間に生じたクリアランスを覆うように垂下される。これにより、記録及び／または再生装置１は、磁気テープ５をテープ搬送領域４２に引き出すために仕切壁４０の開口部７４が開口されていても、テープ装着領域４１とテープ搬送領域４２とを防塵シート６９で遮断することができ、挿脱用開口部１０から侵入した塵埃等がテープ搬送領域４２まで侵入し、記録再生特性等を悪化させることを防止することができる。
【００９５】
カートリッジ装着部材５０がローディングポジションに降下されることにより、カートリッジ装着部５１に形成されたリール駆動部進入孔５４より図示しないリール駆動部が進入し、リールハブ１７の底面１７ａ側に形成されている係合部２２に係合する。
【００９６】
カートリッジ装着部材５０がローディングポジションに降下されたことが検出されると、テープ引出部材１５０は、開口部７４よりテープ装着領域４１へ進み、テープカートリッジ３のテープ引出孔１５内へ進入する。
【００９７】
テープ引出部材１５０がリーダブロック１３の係合部３１内に挿入されると、モータ１２５により、移動機構１４０が巻取リール７側に移動し始める。このとき、テープ引出部材１５０の押圧部１５６への押圧力が解かれ、係合軸１５２は、図８の破線で示すように、上方へ弾性復帰され、フランジ１５３がリーダブロック１３の位置決め段部３５に挿入されるとともに、フランジ１５３に形成された面取部１５３ａが回転規制部３６に突き当てられることにより、リーダブロック１３と係合する。
【００９８】
移動機構１４０が巻取リール７側に搬送される途中では、テープ引出部材１５０は、押圧部１５６に形成されたロック解除防止板１５７が、カム溝１４３に沿って膨出して形成されたガイド凹部１３９上に張り出しているため、誤って押圧部１５６が押下され、リーダブロック１３との係合が外れることが防止されている。また、係合軸１５２は、フランジ１５３に形成された面取部１５３ａがリーダブロック１３の回転規制部３６と突き当てられているため、リーダブロック１３の位置決めが図られ、搬送中における遊動が防止されている。
【００９９】
移動機構１４０が巻取リール７に移動され、リーダブロック１３が巻取リール７のガイド溝１０９ａ，１１０ａよりリーダブロック保持部１０７に挿入されると、テープ引出部材１５０は、係合解除レバー１６３によりリーダブロック１３との係合が解除される。
【０１００】
また、リーダブロック１３は、下面側後端が、下リールフランジ１１０の中心部に形成された凹状の係止部１１５の係止段部１１５ａに係止され、磁気テープ５のバックテンションによって巻取リール７より排出されることが防止される。
【０１０１】
その後、テープカートリッジ３と巻取リール７の間に亘って配設された磁気テープ５は、回転磁気ヘッド機構６の両側に移動可能に配設されたローディングピン１０６にガイドされ、略Ｍ字状に回転磁気ヘッド機構６に摺接される。
【０１０２】
磁気テープ５を巻き戻す場合も、リーダブロック１３は、上記と同様にテープ引出部材１５０により係合され、移動機構１４０が移動されることによりカートリッジ本体１１内に搬送される。
【０１０３】
テープカートリッジ３を記録及び／又は再生装置１から排出する場合は、ローディング部６５によりカートリッジ保持部材５０のガイドピン５５がガイド溝６１の背面２ｂ側端部より前面２ａ側に移動され、カートリッジ保持部材５０がローディングポジションからアンローディングポジションへ搬送される。これにより、記録及び／又は再生装置１は、カートリッジ保持部材５０の挿入端５０ａを装置本体２の前面２ａ側に形成された挿脱用開口部１０に連続され、詳細を省略するカートリッジ排出機構により装置本体２外へテープカートリッジ３を排出する。
【０１０４】
テープカートリッジ３が排出されることにより、記録及び／又は再生装置１は、カートリッジ保持部材５０内に延設されている回動軸９２の押圧部９６への付勢が解かれ、回動軸９２が支軸９３の付勢部材により図１１中矢印Ｄ方向に付勢される。これにより、操作アーム９１も同様に図１１中矢印Ｃ方向に回動され、操作アーム９１の係合部９５に係合されている操作軸８７が図１１中矢印Ｃ方向に移動されてシャッタ部８５が開口部７４を閉塞する。従って、記録及び／又は再生装置１は、テープカートリッジ３が装着されていない状態において、テープ搬送領域４２の気密性を保つことができる。
【０１０５】
以上、記録及び／又は再生装置について説明したが、本発明は、これに限らず、仕切壁に形成された開口部の開閉を、テープカートリッジ３の装着を検出するセンサを設け、この検出結果に応じてシャッタ部材を電動で開閉させる開閉駆動機構を用いてもよい。
【０１０６】
また、装置本体の挿脱用開口部に開閉蓋を備えることにより、さらに防塵効果を高めるようにしてもよい。
【０１０７】
【発明の効果】
以上、詳細に説明したように、本発明に係る記録及び／又は再生装置によれば、カートリッジ装着機構とローディング部との間に仕切壁を設け、テープカートリッジの装脱に応じて仕切壁に形成された開口部の開閉を行うため、テープカートリッジの挿脱用開口部より塵埃等が侵入した場合にも、仕切壁の開口部を閉塞することにより塵埃等がローディング部側に進入することを防止することができる。
【図面の簡単な説明】
【図１】本発明が適用された記録及び／又は再生装置の外観を示す斜視図である。
【図２】本発明が適用された記録及び／又は再生装置の内部を示す斜視図である。
【図３】本発明が適用された記録及び／又は再生装置に用いられるテープカートリッジを示す斜視図である。
【図４】テープカートリッジを示す斜視図である。
【図５】テープカートリッジの底面部を示す斜視図である。
【図６】リーダブロックの上面側斜視図である。
【図７】リーダブロックの下面側斜視図である。
【図８】係合軸とリーダブロックとが係合される様子を示す断面図である。
【図９】本発明が適用された記録及び／又は再生装置の内部を搬送機構を省略して示す斜視図である。
【図１０】防塵シートの動作を示す図である。
【図１１】仕切壁を示す斜視図である。
【図１２】装置本体２の内部を示す上面図である。
【図１３】搬送機構及びチャッキング機構とが設けられた搬送機構を下側から示す斜視図である。
【図１４】搬送機構を上側から示す斜視図である。
【図１５】搬送機構を示す斜視図である。
【図１６】巻取リールを示す全体斜視図である。
【図１７】巻取リールにリーダブロックが挿入された様子を示す斜視図である。
【図１８】テープ引出部材を示す斜視図である。
【図１９】テープ引出部材を示す斜視図である。
【図２０】従来の記録及び／又は再生装置を示す斜視図である。
【符号の説明】
１　記録及び／又は再生装置、２　装置本体、３　テープカートリッジ、４　カートリッジ装着機構、５　磁気テープ、６　回転磁気ヘッド機構、７　巻取リール、８　搬送機構、１０　挿脱用開口部、１３　リーダブロック、１５　テープ引出孔、４０　仕切壁、４１　テープ装着領域、４２　テープ搬送領域、５０　カートリッジ保持部材、６９　防塵シート、７１　隔壁、７２　シャッタ部材、７３　シャッタ開閉アーム、１３５　搬送部、１３６　チャッキング機構、１５０　テープ引出部材
【図１】
2004055072.tif 000003
【図２】
2004055072.tif 000004
【図３】
2004055072.tif 000005
【図４】
2004055072.tif 000006
【図５】
2004055072.tif 000007
【図６】
2004055072.tif 000008
【図７】
2004055072.tif 000009
【図８】
2004055072.tif 000010
【図９】
2004055072.tif 000011
【図１０】
2004055072.tif 000012
【図１１】
2004055072.tif 000013
【図１２】
2004055072.tif 000014
【図１３】
2004055072.tif 000015
【図１４】
2004055072.tif 000016
【図１５】
2004055072.tif 000017
【図１６】
2004055072.tif 000018
【図１７】
2004055072.tif 000019
【図１８】
2004055072.tif 000020
【図１９】
2004055072.tif 000021
【図２０】
2004055072.tif 000022